(57)【要約】      （修正有）【課題】流体の流れを移送するための管において医療処置（特に、大動脈弁形成術）を実施するための装置を提供する。【解決手段】デバイス１０は第１の膨張可能なバルーン、例えば、灌流バルーン１２を備え、第１の膨張可能なバルーンは、管内の流体の流れを許容するために、バルーンの単一の断面において複数のセル１２ａを備え、膨張されたときの第１のバルーンを通る流体の流れを制御するために、第２の膨張可能なバルーン１８の形態をとることができる膨張可能なバルブが設けられてもよい。心臓の鼓動によって作り出される流れのリズムを介した、膨張時の第１のバルーンの選択的な移動によって、治療においてバルブによって作り出される自然流を模擬するのに使用され得る一方向弁が得られる。【選択図】図１
2020058846.tif 000002
【特許請求の範囲】
【請求項１】
流体の流れを移送するための管において医療処置を実施するための装置であって、
膨張状態にあるときに前記管内の前記流体の流れを許容するための膨張可能な灌流バルーンと、
前記流体の流れを制御するための膨張可能なバルブと
を備える装置。
【請求項２】
請求項１に記載の装置であって、
前記膨張可能なバルブは、前記灌流バルーンの内部通路に関連付けられたバルーンを備える
装置。
【請求項３】
請求項２に記載の装置であって、
前記バルーンは、略球状のバルーンを備える
装置。
【請求項４】
請求項１に記載の装置であって、
さらに、前記灌流バルーンを支持するためのカテーテルシャフトを備え、
前記カテーテルシャフトは、前記膨張可能なバルブを支持するための支持体を受け入れるための少なくとも１つの内腔を備える
装置。
【請求項５】
請求項４に記載の装置であって、
前記膨張可能なバルブは、流体の流れを実質的に塞ぐ第１の位置と、流体の流れを許容する第２の位置と、の間で前記支持体に対して移動可能である
装置。
【請求項６】
請求項４に記載の装置であって、
前記支持体は、前記膨張可能なバルブのための膨張内腔を備える
装置。
【請求項７】
流体の流れを移送するための管において医療処置を実施するのに使用するための装置であって、
前記管内の前記流体の流れを受け入れるための開口に関連付けられた通路を有する灌流バルーンと、
前記流体の流れを制御するための、前記通路内に選択的に位置決め可能なバルブと
を備える装置。
【請求項８】
請求項７に記載の装置であって、
前記バルブは、前記灌流バルーンの内部通路内に位置決めされる膨張可能なバルーンを備える
装置。
【請求項９】
請求項８に記載の装置であって、
前記膨張可能なバルーンは、略球状のバルーンを備える
装置。
【請求項１０】
請求項７に記載の装置であって、
さらに、前記灌流バルーンを支持するためのカテーテルシャフトを備え、
前記カテーテルシャフトは、前記膨張可能なバルブを支持するための支持体を受け入れるための少なくとも１つの内腔を備える
装置。
【請求項１１】
請求項７に記載の装置であって、
前記バルブは、前記通路への流体の流れを実質的に塞ぐ第１の位置と、前記通路への流体の流れを許容する第２の位置と、の間で移動可能である
装置。
【請求項１２】
請求項１１に記載の装置であって、
前記灌流バルーンは、前記第２の位置において前記バルブを保持するために、近位端に保持部を備える
装置。
【請求項１３】
請求項１ないし請求項１２のいずれか一項に記載の装置であって、
前記灌流バルーンは、該灌流バルーンの単一の断面において複数のセルを備える
装置。
【請求項１４】
請求項１３に記載の装置であって、
各セルは、前記灌流バルーンを支持するカテーテルシャフトまで延在するネック部を備え、
前記ネック部は、前記膨張可能なバルブのための保持部を一緒に形成する
装置。
【請求項１５】
請求項１４に記載の装置であって、
前記保持部は、前記灌流バルーンの近位端部に位置する
装置。
【請求項１６】
流体の流れを移送するための管において医療処置を実施するのに使用するための装置であって、
膨張状態において流体を移送するための通路を有する第１の膨張可能なバルーンと、
前記通路を通る前記流体の流れを制御するための第２の膨張可能なバルーンと
を備える装置。
【請求項１７】
請求項１６に記載の装置であって、
さらに、前記第１の膨張可能なバルーンを支持するためのカテーテルシャフトを備え、
前記カテーテルシャフトは、前記第１の膨張可能なバルーンに流体連通する第１の内腔と、前記第２の膨張可能なバルーンに流体連通する第２の内腔と、を備える
装置。
【請求項１８】
請求項１６に記載の装置であって、
前記第２の膨張可能なバルーンは、前記通路を通る流体の流れを実質的に塞ぐ第１の位置から、前記通路を通る流体の流れを許容する第２の位置まで移動可能である
装置。
【請求項１９】
請求項１６に記載の装置であって、
前記第２の膨張可能なバルーンは、前記通路を通る流体の流れを実質的に塞ぐ第１の位置から、前記通路を通る流体の流れを許容する第２の位置まで、前記第１の膨張可能なバルーン内をガイドワイヤチューブに沿って移動可能である
装置。
【請求項２０】
請求項１６に記載の装置であって、
前記第１のバルーンは、該バルーンの単一の断面において複数のセルを備え、
前記第２のバルーンは、略球状のバルーンを備える
装置。
【請求項２１】
流体の流れを移送するための管において医療処置を実施するのに使用するための装置であって、
第１の近位位置から第２の遠位位置まで摺動的に移動するように構成された膨張可能なバルーンを有する支持体を備える
装置。
【請求項２２】
請求項２１に記載の装置であって、
前記支持体は、前記バルーンに流体を供給するための膨張内腔を有するチューブを備える
装置。
【請求項２３】
請求項２１または請求項２２に記載の装置であって、
前記バルーンは、略球状であり、近位ネック部と遠位ネック部とを備える
装置。
【請求項２４】
流体の流れを移送するための管において医療処置を実施するのに使用するための装置であって、
略球状の膨張可能な本体と、近位ネック部と、遠位ネック部と、を有するバルーンを備える
装置
【請求項２５】
請求項２４に記載の装置であって、
前記近位ネック部および前記遠位ネック部は、略円形の断面を有する
装置
【請求項２６】
請求項２４または請求項２５に記載の装置であって、
さらに、前記バルーンを支持するための支持体を備え、
前記支持体は、前記膨張可能な本体に流体連通する膨張内腔を備える
装置。
【請求項２７】
請求項２１ないし請求項２５のいずれか一項に記載の装置であって、
さらに、前記バルーンを受け入れるように構成された灌流バルーンを備える
装置。
【請求項２８】
流体の流れを移送するための管において医療処置を実施するのに使用するための装置であって、
第１の膨張可能なバルーンと、
前記第１の膨張可能なバルーンを支持し、第１の内腔を有するカテーテルシャフトと、
前記第１の内腔内に位置決めされるガイドワイヤチューブであって、前記膨張可能なバルーンへ膨張流体を供給するための膨張内腔と、ガイドワイヤを受け入れるためのガイドワイヤ内腔と、を有するガイドワイヤチューブと
を備える装置。
【請求項２９】
請求項２８に記載の装置であって、
前記カテーテルチューブは、前記第１の膨張可能なバルーンへ膨張流体を供給するための第２の内腔を備える
装置。
【請求項３０】
請求項２８または請求項２９に記載の装置であって、
さらに、前記ガイドワイヤチューブの前記膨張内腔に流体連通する第２の膨張可能なバルーンを備える
装置。
【請求項３１】
請求項３０に記載の装置であって、
前記第１の膨張可能なバルーンは、灌流バルーンを備え、
前記第２の膨張可能なバルーンは、前記灌流バルーン内に位置決めされる
装置。
【請求項３２】
請求項３１に記載の装置であって、
前記灌流バルーンは、該バルーンの単一の断面において複数の膨張可能なセルを備え、
各セルは、前記第１の内腔に流体連通する近位ネック部を備える
装置。
【請求項３３】
請求項２８ないし請求項３２のいずれか一項に記載の装置であって、
前記第１の膨張可能なバルーンは、略球状のバルーンを備える
装置。
【請求項３４】
請求項１ないし請求項２７のいずれか一項に記載の装置を使用して弁形成術を実施する方法。
【請求項３５】
流体の流れを移送するための管に関連付けられるバルブについて処置を実施する方法であって、
前記流体の流れを移送するための通路を有する第１のバルーンを前記バルブに隣接して設ける工程と、
前記第１のバルーンを通る前記流体の流れを調節するために第２のバルーンを設ける工程と、
を備える方法。
【請求項３６】
請求項３５に記載の方法であって、
さらに、前記第１のバルーンと前記第２のバルーンとを同時に膨張させる工程を備える
方法。
【発明の詳細な説明】
【背景技術】
【０００１】
[0001]本明細書に記載される全ての公表文献および特許出願は、各公表文献または特許出願が参照によって組み入れられるように具体的かつ個別的に表示されるかのように同程度に参照によって本明細書に組み入れられる。
【０００２】
[0002]バルーンなどの拡張可能なデバイスが医療処置において広く使用されている。バルーンの場合、それは、典型的にはカテーテルの端部で、バルーンが対象領域に到達するまで挿入される。バルーンに圧力を加えることによって、バルーンが膨張される。使用方法の１つのバリエーションでは、バルーンは、膨張するときに、体内に空間を作り出す。
【０００３】
[0003]バルーンは、心臓に関連する弁で使用することができ、それには、大動脈弁バルーン形成術（ＢＡＶ）（原らの「経皮バルーン大動脈弁形成術再検討：再生時間？」発行２００７；１１５：ｅ３３４−８）中や経カテーテル大動脈弁留置術（ＴＡＶＩ）中が含まれる。そのような処置では、膨張されるバルーンは、継続的な血流または灌流を可能にするように設計される。しかしながら、バルーンが膨張されたとき、心臓弁は必ず一時的に無効化される。これは、血流の阻害（望ましくない逆流を作り出すことによるものが含まれる）につながり得る。
【発明の概要】
【発明が解決しようとする課題】
【０００４】
[0004]したがって、処置中に、特に処置の結果または別の結果として無効化される弁を含む処置に関連して使用されるときに、流体の流れを選択的な態様で調節するのに使用可能な灌流バルーンを提供することが望ましい。
【課題を解決するための手段】
【０００５】
[0005]概して、選択的に作動可能なバルブを備える灌流バルーンが提案される。より具体的には、膨張可能な灌流バルーンは、バルーンが膨張された状況で流体の流れを可能にするための通路と、当該通路を選択的に塞ぐのに使用され得る膨張可能なバルブと、を備えている。
【０００６】
[0006]本開示のより具体的な態様によれば、流体の流れを移送するための管において医療措置を実施するための装置が提供される。この装置は、膨張した状態において管内の流体の流れを許容するための膨張可能な灌流バルーンを備えている。（例えば、膨張されたときの灌流バルーンによって流体の流れを調節することによって）管内の流体の流れを制御するために、膨張可能なバルブが設けられる。
【０００７】
[0007]１つの可能な実施形態では、膨張可能なバルブは、灌流バルーンの内部通路に関連付けられたバルーンを備えている。このバルーンは、略球状のバルーンを備えていてもよい。灌流バルーンを支持するために、カテーテルシャフトが設けられてもよい。このカテーテルシャフトは、膨張可能なバルブを支持するための支持体（例えば、膨張を有するガイドワイヤチューブ）を受け入れるための少なくとも１つの内腔を備えている。１つの特定の実施形態では、膨張可能なバルブは、流体の流れを実質的に遮る第１の位置と、流体の流れを許容する第２の位置と、の間で支持体に対して移動可能である。
【０００８】
[0008]本開示の他の態様は、流体の流れを移送するための管において医療処置を実施するのに使用するための装置に関する。この装置は、灌流バルーンを備えている。灌流バルーンは、管内の流体の流れを受け入れるための開口に関連付けられた通路と、流体の流れを制御するために管内に選択的に位置決め可能なバルブと、を備えている。
【０００９】
[0009]一実施形態では、バルブは、灌流バルーンの内部通路内に位置決めされる膨張可能なバルーンを備えている。このバルーンは、略球状のバルーンを備えていてもよい。灌流バルーンを支持するためのカテーテルシャフトが、膨張可能なバルブを支持するための支持体を受け入れるための少なくとも１つの内腔を備えている。バルブは、通路を通る流体の流れを実質的に塞ぐ第１の位置と、通路を通る流体の流れを許容する第２の位置と、の間で移動可能であってもよい。
【００１０】
[00010]任意の実施形態において、灌流バルーンは、灌流バルーンの単一の断面におい
て複数のセルを備えていてもよい。各セルは、灌流バルーンを支持するカテーテルシャフトまで延在するネック部を備えている。複数のネック部は、膨張可能なバルブのための保持部を一緒に形成する。保持部は、灌流バルーンの近位端部のところに位置していてもよい。
【００１１】
[00011]本開示のさらなる態様は、流体の流れを移送するための管において医療処置を
実施するのに使用するための装置に関する。この装置は、膨張状態において管内の流体の流れを許容するための通路を有する第１の膨張可能なバルーンと、通路への流体の流れを制御するための第２の膨張可能なバルーンと、を備えている。
【００１２】
[00012]一実施形態では、第１の膨張可能なバルーンを支持するためにカテーテルシャ
フトが設けられる。このカテーテルシャフトは、第１の膨張可能なバルーンに流体連通する第１の内腔を有する第１のチューブと、第２の膨張可能なバルーンに流体連通する第２の内腔を有する第２のチューブ（例えば、ガイドワイヤチューブの一部分）と、を備えている。膨張可能なバルーンは、通路を通る流体の流れを実質的に塞ぐ第１の位置と、通路を通る流体の流れを許容する第２の位置と、の間において（例えば、関連するガイドワイヤチューブに沿って）移動可能であってもよい。
【００１３】
[00013]本開示の他の形態は、流体の流れを移送するための管において医療処置を実施
するのに使用するための装置に関する。この装置は、支持体を備えている。支持体は、第１の近位位置から第２の遠位位置まで摺動的に移動するように構成された膨張可能なバルーンを備えている。支持体は、バルーンに流体を供給するための膨張内腔を有するチューブを備えていてもよい。バルーンは、略球状であってもよく、近位ネック部と遠位ネック部とを備えている。
【００１４】
[00014]本発明のさらなる態様は、流体の流れを移送するための管において医療処置を
実施するのに使用するための装置に関する。この装置は、略球状の膨張可能な本体と、近位ネック部と、遠位ネック部と、を有するバルーンを備えている。近位ネック部および遠位ネック部は、略円形の断面を有している。また、バルーンを支持するために支持体が設けられてもよい。この支持体は、膨張可能な本体に流体連通する膨張内腔を備えている。また、バルーンを受け入れるように構成された灌流バルーンが提供されてもよい。
【００１５】
[00015]本開示のさらなる態様は、流体の流れを移送するための管において医療処置を
実施するのに使用するための装置に関する。この装置は、第１の膨張可能なバルーンと、第１の膨張可能なバルーンを支持するカテーテルシャフトと、を備えている。カテーテルシャフトは、第１の内腔と、第１の内腔内に位置決めされるガイドワイヤチューブと、を備えている。ガイドワイヤチューブは、膨張可能なバルーンへ膨張流体を供給するための膨張内腔と、ガイドワイヤを受け入れるためのガイドワイヤ内腔と、を備えている。
【００１６】
[00016]一実施形態では、カテーテルチューブは、第１の膨張可能なバルーンへ膨張流
体を供給するための第２の内腔を備えている。この装置は、さらに、ガイドワイヤチューブの膨張内腔に流体連通する第２の膨張可能なバルーンを備えていてもよい。第１の膨張可能なバルーンは、灌流バルーンを備えていてもよく、第２の膨張可能なバルーンは、灌流バルーン内に位置決めされる。灌流バルーンは、バルーンの単一の断面において複数の膨張可能なセルを備えていてもよい。各セルは、第１の内腔に流体連通する近位ネック部を備えている。第１の膨張可能なバルーンは、略球状のバルーンを備えていてもよい。
【００１７】
[00017]また、本開示は、任意の開示される装置を使用して弁形成術を実施する方法に
関する。この方法は、バルブに隣接して灌流バルーンを設ける工程を備えている。灌流バルーンは、流体の流れを移送するための通路を備えている。この方法は、さらに、バルーンを設けて、灌流バルーンを通る流体の流れを調節する工程を備えている。この方法は、さらに、バルーンを膨張させる工程を備えていてもよい。
【図面の簡単な説明】
【００１８】
【図１】[00018]拡張状態の膨張可能なデバイスの概略側面図である。
【図２】[00019]線２−２に沿った図１のデバイスの側断面図であり、膨張可能なバルブが、デバイスの中央通路を通る流れを塞ぐための第１の位置にある。
【図２Ａ】[00020]図２の線２Ａ−２Ａに沿った断面図である。
【図３】[00021]図１のデバイスの側断面図であり、膨張可能なバルブが、デバイスの中央通路を通る流れを許容するための第２の位置にある。
【図３Ａ】[00022]図２の線３Ａ−３Ａに沿った断面図である。
【図４】[00023]第２の位置にある膨張可能なバルブの拡大部分切取図である。
【図４Ａ】[00024]図４の線４Ａ−４Ａに沿った部分断面図である。
【図５】[00025]第１の位置にある膨張可能なバルブの拡大部分切取図である。
【図５Ａ】[00026]図５の線５Ａ−５Ａに沿った部分断面図である。
【発明を実施するための形態】
【００１９】
[00027]開示される本発明は、本質的に灌流バルーンの範疇に入る膨張可能なデバイス
に関する。本発明の新規の特徴は、後で記載される特許請求の範囲に詳細に記載されている。本発明の原理が使用される例示的な実施形態を説明する次の詳細な説明と、添付図面と、を参照することによって、本発明の特徴および利点がより良好に理解されるであろう。
【００２０】
[00028]図１は、膨張可能なデバイス１０を示している。デバイス１０は、処置に関し
て使用準備ができた膨張状態にある灌流バルーン１２を備えている（ただし、このバルーンは、通常、選択された治療領域（例えば、大動脈弁）まで血管系を通って移送する目的で折り畳まれている）。膨張状態を見れば、デバイス１０のバルーン１２は、バルーンの少なくとも単一の断面（例えば、図２Ａおよび図３Ａ参照）において複数の膨張可能なセル１２ａ（８つが図示されているが、任意の数が設けられ得る）を有していてもよいことを理解することができる。保持部（例えば、チューブ状の可撓性シースまたは被覆）（図示せず）が、図示される実施形態では略環状の形態でセル１２ａを保持するためにセル１２ａの中央部分の上に設けられてもよく、また、狭窄バルブ等と接触するときにセルを保護するようにも機能してもよい。
【００２１】
[00029]セル１２ａは、個々の、すなわち、離散的な個別に膨張可能なバルーンであっ
てもよい。各セル１２ａは、上述のようにネック部１２ｂを介して、また、遠位端のところのネック部１２ｃを介して分離した膨張内腔を有しており、これは、遠位端のところでシールされていてもよく、あるいは、単一のバルーンの一部分であってもよい。後者は、中央軸線Ｘに沿って延在する通路Ｐをセル１２ａに形成させる態様で折り畳まれた、セグメント化された細長い構造によって達成され得る。バルーン１２が完全に膨張されたとき
であっても、流体（例えば、血液）が中央軸線Ｘに沿って流れ続けることができる（これは、単一の膨張内腔によって行われてもよく、あるいは、各バルーンは、それ自体の膨張内腔を有していてもよい）。このタイプのバルーンの完全な説明は、国際特許出願公開ＷＯ２０１２０９９９７９で見つけることができる。ただし、他の形態の灌流バルーンも使用され得る（例えば、チューブ状のバルーン、流体の流れが膨張中に生じることを可能にする目的で周囲（たとえば、螺旋状）チャネルを有するもの、または、これらの技術の任意の組み合わせなど）。
【００２２】
[00030]任意の場合において、デバイス１０は、中央軸線Ｘに沿って延在する膨張内腔
Ｌを有する内側シャフトすなわちチューブ１４を備えていてもよい。内側チューブ１４は、カテーテルチューブすなわちシャフト１６の一部分を形成してもよく、シャフト１６は、内側チューブ１４が位置決めされる内腔Ｎを備えている。次いで、灌流バルーン１２は、例えば、通路Ｐへの入口を形成する近位ネック部１２ｂのところで、カテーテルシャフト１６に取り付けられてもよい。通路Ｐは、内腔Ｎを通る膨張流体を受け入れてもよい。
【００２３】
[00031]本開示の一態様によれば、通路Ｐを通る流体の流れを選択的に調節するために
バルブが設けられる。一実施形態では、バルブは、選択的に膨張可能なデバイス、例えばバルーン１８を備えている。バルーン１８は、処置中に一方向弁機能を提供するために、例えばその近位開放端のところで、通路Ｐ内に位置決めされてもよい。
【００２４】
[00032]バルーン１８は、略球状の形状であってもよいが、他の形態も同様にとること
ができる。バルーン１８は、通路Ｐを塞ぐことなく通路Ｐを通って延在するための支持体（例えば、ガイドワイヤチューブ１４）によって支持されてもよい。この支持体は、固定されていてもよく、あるいは、灌流バルーン１２に対して移動可能であってもよい。以下でより詳細に説明するように、ガイドワイヤチューブ１４は、バルーン１８を選択的に膨張させるために流体を移送するための膨張内腔Ｌ（図２参照）を備えていてもよい。バルーン１８も、下にある支持体（チューブ１４）に対して移動してもよい。
【００２５】
[00033]図２および図２Ａに戻ると、膨張され、遠位方向Ｄ（近位方向と反対）に進め
られたときのバルーン１８は、流体の流れを調節するように構成されていることが分かる。具体的には、バルーン１８は、通路Ｐを実質的または完全に塞いでもよく、それによって、（このため、そのように形成されたバルブの閉位置に対応するこの遠位位置において）流体の流れが実質的または完全に塞がれる。この位置へのバルーン１８の移動は、関連する支持体（例えば、ガイドワイヤチューブ１４）を移動させることによって達成されてもよく、あるいは、特に、管内（例えば、心臓を動かす血液の圧送動作の結果として）および通路Ｐ内の流れによって形成される流体圧力を変化させる結果として自動的に行われてもよい。
【００２６】
[00034]図３および図３Ａから理解されるように、膨張されたバルーン１８’が通路Ｐ
から反対（近位）方向に引き抜かれるとき、流体Ｆが、個々のセル１２ａに関連付けられた近位ネック部１２ｂ同士の間の空間を流れてもよい。この近位位置は、そのように形成されたバルブの開状態に対応しているので、流体Ｆは、次いで通路Ｐに入り、最終的にはバルーン１２を通って灌流し、遠位ネック部１２ｃ同士の間の空間（単数または複数）において出て、管を通り続ける（大動脈弁の場合、心臓から離れる方向へ）ことができる。この状態において、ネック部１２ｂは、バルーン１８と係合して近位方向へさらに移動しないようにするための保持部すなわちケージを集約的に形成することが理解され得る。心臓の鼓動によって作り出される流れのリズムによって膨張されるときのバルーン１８の選択的な作動によって、処置の結果として機能を奪われる関連するバルブによって作り出される自然流を模擬するのに使用され得る一方向弁が得られる。
【００２７】
[00035]図４は、膨張流体をバルーン１８へ選択的に供給する１つの方法を示している
。上述したように、ガイドワイヤチューブ１４は、例えば１つ以上の開口Ｏを介してバルーン１８の内部に流体を連通させるために膨張内腔Ｌ内に設けられてもよい。バルーン１８ａの近位および遠位に位置するチューブ状の延長部、すなわち、ネック部１８ａ，１８ｂは、膨張可能な球状の本体の対応する近位端および遠位端に接続される。これらのネック部１８ａ，１８ｂは、チューブ１４の上に位置し、バルーン１８の内部膨張区画内に膨張流体を収容し、同時に、通路Ｐを塞ぐことによって流れの選択的な調節を達成するために摺動移動を許容するためのシールを形成する。理解され得るように、ネック部１８ａ，１８ｂは、断面が略円形であってもよく、また、チューブ１４の外径をごく僅かに超える内径を有していてもよい。これにより、このようにして流体密シールが形成され得る。ネック部１８ａ，１８ｂは、軸線Ａの方向に細長くてもよく、制御された摺動移動の結果として、近位端および遠位端のところでシャフト１６および通路Ｐにそれぞれ入ってもよい（図２および図３を比較のこと）。
【００２８】
[00036]図４，４Ａと図５，５Ａとを比較することによって理解され得るように、開口
Ｏは、１つの位置（近位）においてバルーン１８の内部に連通し、次いで、バルーンが他の位置（遠位）に移動したときに延長部（この場合は、近位延長部１８ａ）によって塞がれた状態に維持されるように構成されてもよい。チューブ１４は、同軸であってもよく、内側チューブ１４ａによって形成されるガイドワイヤ内腔Ｇを備えていてもよい。ガイドワイヤ内腔Ｇは、チューブ１４の長さ全体に延在していてもよい（一方、膨張内腔Ｌは、開口Ｏのところ、または、その近傍で終端していてもよい）。
【００２９】
[00037]様々な材料が、所望の構造を形成するために使用され得る。それには、国際特
許出願公開ＷＯ２０１２０９９９７９で概説されているようなものが含まれる。バルーン１８は、ポリウレタン材料から形成されていてもよい。バルーン１８の膨張は、灌流バルーン１２を膨張させるのに使用されるものとは別のデバイスを使用して達成されてもよい。それによって、このように形成されたバルブの選択的な制御の方法が可能になる。
【００３０】
[00038]上述の説明は、本発明の概念の例示を提供することを意図しており、本発明を
特定の態様または形態に限定することを意図するものではない。単数形として本明細書に記載された任意の要素は、複数になってもよく（すなわち、「１つ」として記載された任意のものは１つよりも多くなり得る）、複数の要素は、個別に使用されてもよい。要素、デバイス、方法またはそれらの組み合わせの単一のバリエーションの開示された特徴は、他のバリエーション、例えば、寸法、破裂圧力、形状、材料、または、それらの組み合わせに使用または適用されてもよい。族要素の任意の種要素は、当該族の任意の他の種要素の特徴または要素を有していてもよい。「略」または「実質的に」といった用語は、その値が状況に応じて（例えば、所与の条件の１０％まで）変わり得ることを意味している。本発明の実施するための上述の構成、要素または完全な組立体および方法ならびにそれらの要素、ならびに、本発明の態様のバリエーションは、任意の自明な修正形態とともに、任意の組み合わせで互いに組み合わせたり修正したりすることができる。
【図１】
2020058846.tif 000003
【図２】
2020058846.tif 000004
【図２Ａ】
2020058846.tif 000005
【図３】
2020058846.tif 000006
【図３Ａ】
2020058846.tif 000007
【図４】
2020058846.tif 000008
【図４Ａ】
2020058846.tif 000009
【図５】
2020058846.tif 000010
【図５Ａ】
2020058846.tif 000011
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
流体の流れを移送するための管において医療処置を実施するのに使用するための装置であって、
第１の膨張可能なバルーン（１２）と、
前記第１の膨張可能なバルーンを支持し、第１の内腔（Ｎ）を有するカテーテルシャフト（１６）と、
前記第１の内腔（Ｎ）内に位置決めされるガイドワイヤチューブ（１４）であって、前記膨張可能なバルーンへ膨張流体を供給するための膨張内腔（Ｌ）と、ガイドワイヤを受け入れるためのガイドワイヤ内腔（Ｇ）と、を有するガイドワイヤチューブと
を備える装置。
【請求項２】
請求項１に記載の装置であって、
前記カテーテルシャフトは、前記第１の膨張可能なバルーンへ膨張流体を供給するための第２の内腔を備える、装置。
【請求項３】
請求項１または２に記載の装置であって、
さらに、前記ガイドワイヤチューブの前記膨張内腔に流体連通する第２の膨張可能なバルーン（１８）を備える、装置。
【請求項４】
請求項１に記載の装置であって、
前記第１の膨張可能なバルーンは、灌流バルーンを備え、
前記第２の膨張可能なバルーンは、前記灌流バルーン内に位置決めされる、装置。
【請求項５】
請求項４に記載の装置であって、
前記灌流バルーンは、該バルーンの単一の断面において複数の膨張可能なセルを備え、
各セルは、前記第１の内腔に流体連通する近位ネック部を備える、装置。
【請求項６】
請求項１乃至５のいずれか一項に記載の装置であって、
前記第１の膨張可能なバルーンは、略球状のバルーンを備える、装置。 
【手続補正２】
【補正対象書類名】明細書
【補正対象項目名】００３０
【補正方法】変更
【補正の内容】
【００３０】
[00038]上述の説明は、本発明の概念の例示を提供することを意図しており、本発明を特定の態様または形態に限定することを意図するものではない。単数形として本明細書に記載された任意の要素は、複数になってもよく（すなわち、「１つ」として記載された任意のものは１つよりも多くなり得る）、複数の要素は、個別に使用されてもよい。要素、デバイス、方法またはそれらの組み合わせの単一のバリエーションの開示された特徴は、他のバリエーション、例えば、寸法、破裂圧力、形状、材料、または、それらの組み合わせに使用または適用されてもよい。族要素の任意の種要素は、当該族の任意の他の種要素の特徴または要素を有していてもよい。「略」または「実質的に」といった用語は、その値が状況に応じて（例えば、所与の条件の１０％まで）変わり得ることを意味している。本発明の実施するための上述の構成、要素または完全な組立体および方法ならびにそれらの要素、ならびに、本発明の態様のバリエーションは、任意の自明な修正形態とともに、任意の組み合わせで互いに組み合わせたり修正したりすることができる。以下は、本願出願当初の本願発明の各種形態である。
（形態１）  流体の流れを移送するための管において医療処置を実施するための装置であって、
膨張状態にあるときに前記管内の前記流体の流れを許容するための膨張可能な灌流バルーンと、
前記流体の流れを制御するための膨張可能なバルブと
を備える装置。
（形態２）  形態１に記載の装置であって、
前記膨張可能なバルブは、前記灌流バルーンの内部通路に関連付けられたバルーンを備える、装置。
（形態３）  形態２に記載の装置であって、
前記バルーンは、略球状のバルーンを備える、装置。
（形態４）  形態１に記載の装置であって、
さらに、前記灌流バルーンを支持するためのカテーテルシャフトを備え、
前記カテーテルシャフトは、前記膨張可能なバルブを支持するための支持体を受け入れるための少なくとも１つの内腔を備える、装置。
（形態５）  形態４に記載の装置であって、
前記膨張可能なバルブは、流体の流れを実質的に塞ぐ第１の位置と、流体の流れを許容する第２の位置と、の間で前記支持体に対して移動可能である、装置。
（形態６）  形態４に記載の装置であって、
前記支持体は、前記膨張可能なバルブのための膨張内腔を備える、装置。
（形態７）  流体の流れを移送するための管において医療処置を実施するのに使用するための装置であって、
前記管内の前記流体の流れを受け入れるための開口に関連付けられた通路を有する灌流バルーンと、
前記流体の流れを制御するための、前記通路内に選択的に位置決め可能なバルブと
を備える装置。
（形態８）  形態７に記載の装置であって、
前記バルブは、前記灌流バルーンの内部通路内に位置決めされる膨張可能なバルーンを備える、装置。
（形態９）  形態８に記載の装置であって、
前記膨張可能なバルーンは、略球状のバルーンを備える、装置。
（形態１０）  形態７に記載の装置であって、
さらに、前記灌流バルーンを支持するためのカテーテルシャフトを備え、
前記カテーテルシャフトは、前記膨張可能なバルブを支持するための支持体を受け入れるための少なくとも１つの内腔を備える、装置。
（形態１１）  形態７に記載の装置であって、
前記バルブは、前記通路への流体の流れを実質的に塞ぐ第１の位置と、前記通路への流体の流れを許容する第２の位置と、の間で移動可能である、装置。
（形態１２）  形態１１に記載の装置であって、
前記灌流バルーンは、前記第２の位置において前記バルブを保持するために、近位端に保持部を備える、装置。
（形態１３）  形態１ないし形態１２のいずれか一項に記載の装置であって、
前記灌流バルーンは、該灌流バルーンの単一の断面において複数のセルを備える、装置。
（形態１４）  形態１３に記載の装置であって、
各セルは、前記灌流バルーンを支持するカテーテルシャフトまで延在するネック部を備え、
前記ネック部は、前記膨張可能なバルブのための保持部を一緒に形成する、装置。
（形態１５）  形態１４に記載の装置であって、
前記保持部は、前記灌流バルーンの近位端部に位置する、装置。
（形態１６）  流体の流れを移送するための管において医療処置を実施するのに使用するための装置であって、
膨張状態において流体を移送するための通路を有する第１の膨張可能なバルーンと、
前記通路を通る前記流体の流れを制御するための第２の膨張可能なバルーンと
を備える装置。
（形態１７）  形態１６に記載の装置であって、
さらに、前記第１の膨張可能なバルーンを支持するためのカテーテルシャフトを備え、
前記カテーテルシャフトは、前記第１の膨張可能なバルーンに流体連通する第１の内腔と、前記第２の膨張可能なバルーンに流体連通する第２の内腔と、を備える、装置。
（形態１８）  形態１６に記載の装置であって、
前記第２の膨張可能なバルーンは、前記通路を通る流体の流れを実質的に塞ぐ第１の位置から、前記通路を通る流体の流れを許容する第２の位置まで移動可能である、装置。
（形態１９）  形態１６に記載の装置であって、
前記第２の膨張可能なバルーンは、前記通路を通る流体の流れを実質的に塞ぐ第１の位置から、前記通路を通る流体の流れを許容する第２の位置まで、前記第１の膨張可能なバルーン内をガイドワイヤチューブに沿って移動可能である、装置。
（形態２０）  形態１６に記載の装置であって、
前記第１のバルーンは、該バルーンの単一の断面において複数のセルを備え、
前記第２のバルーンは、略球状のバルーンを備える、装置。
（形態２１）  流体の流れを移送するための管において医療処置を実施するのに使用するための装置であって、
第１の近位位置から第２の遠位位置まで摺動的に移動するように構成された膨張可能なバルーンを有する支持体を備える、装置。
（形態２２）  形態２１に記載の装置であって、
前記支持体は、前記バルーンに流体を供給するための膨張内腔を有するチューブを備える、装置。
（形態２３）  形態２１または形態２２に記載の装置であって、
前記バルーンは、略球状であり、近位ネック部と遠位ネック部とを備える、装置。
（形態２４）  流体の流れを移送するための管において医療処置を実施するのに使用するための装置であって、
略球状の膨張可能な本体と、近位ネック部と、遠位ネック部と、を有するバルーンを備える
装置
（形態２５）  形態２４に記載の装置であって、
前記近位ネック部および前記遠位ネック部は、略円形の断面を有する
装置
（形態２６）  形態２４または形態２５に記載の装置であって、
さらに、前記バルーンを支持するための支持体を備え、
前記支持体は、前記膨張可能な本体に流体連通する膨張内腔を備える、装置。
（形態２７）  形態２１ないし形態２５のいずれか一項に記載の装置であって、
さらに、前記バルーンを受け入れるように構成された灌流バルーンを備える、装置。
（形態２８）  流体の流れを移送するための管において医療処置を実施するのに使用するための装置であって、
第１の膨張可能なバルーンと、
前記第１の膨張可能なバルーンを支持し、第１の内腔を有するカテーテルシャフトと、
前記第１の内腔内に位置決めされるガイドワイヤチューブであって、前記膨張可能なバルーンへ膨張流体を供給するための膨張内腔と、ガイドワイヤを受け入れるためのガイドワイヤ内腔と、を有するガイドワイヤチューブと
を備える装置。
（形態２９）  形態２８に記載の装置であって、
前記カテーテルチューブは、前記第１の膨張可能なバルーンへ膨張流体を供給するための第２の内腔を備える、装置。
（形態３０）  形態２８または形態２９に記載の装置であって、
さらに、前記ガイドワイヤチューブの前記膨張内腔に流体連通する第２の膨張可能なバルーンを備える、装置。
（形態３１）  形態３０に記載の装置であって、
前記第１の膨張可能なバルーンは、灌流バルーンを備え、
前記第２の膨張可能なバルーンは、前記灌流バルーン内に位置決めされる、装置。
（形態３２）  形態３１に記載の装置であって、
前記灌流バルーンは、該バルーンの単一の断面において複数の膨張可能なセルを備え、
各セルは、前記第１の内腔に流体連通する近位ネック部を備える、装置。
（形態３３）  形態２８ないし形態３２のいずれか一項に記載の装置であって、
前記第１の膨張可能なバルーンは、略球状のバルーンを備える、装置。
（形態３４）  形態１ないし形態２７のいずれか一項に記載の装置を使用して弁形成術を実施する方法。
（形態３５）  流体の流れを移送するための管に関連付けられるバルブについて処置を実施する方法であって、
前記流体の流れを移送するための通路を有する第１のバルーンを前記バルブに隣接して設ける工程と、
前記第１のバルーンを通る前記流体の流れを調節するために第２のバルーンを設ける工程と、
を備える方法。
（形態３６）  形態３５に記載の方法であって、
さらに、前記第１のバルーンと前記第２のバルーンとを同時に膨張させる工程を備える方法。
【外国語明細書】
2020058846000001.pdf